(57)【要約】【課題】倉庫内空間の自由度が制限されず、低コストで建設することも可能であり、尚且つ耐震性の高い物流倉庫を提供する。【解決手段】互いに剛に連結する複数の柱７及び梁８で囲まれた空間を形成する物流倉庫１であって、前記空間は前記柱間に設けられた遮蔽手段５により形成される防火区画４を含み、前記防火区画４の周部を形成する柱間に、他の柱間に設ける梁よりも強度の大きな耐震梁１０を設けてある物流倉庫。【選択図】        図３
2006152607.tif 000002
【特許請求の範囲】
【請求項１】
互いに剛に連結する複数の柱及び梁で囲まれた空間を形成する物流倉庫であって、
前記空間は前記柱間に設けられた遮蔽手段により形成される防火区画を含み、前記防火区画の周部を形成する柱間に、他の柱間に設ける梁よりも強度の大きな耐震梁を設けてある物流倉庫。
【請求項２】
前記遮蔽手段が遮蔽手段収納部に収納可能な防火シャッターであり、前記遮蔽手段収納部が前記耐震梁の側部に配置してある物流倉庫。
【発明の詳細な説明】
【技術分野】
【０００１】
本発明は、互いに剛に連結する複数の柱及び梁で囲まれた空間を形成する物流倉庫に関する。
【背景技術】
【０００２】
建築物には、自重や積載荷重を含む鉛直荷重と、地震や風といった水平力とが作用する。従って、建築物は、建築物を構成する水平部材（梁及び床など）と鉛直部材（柱、壁、ブレースなど）を剛接合又はピン接合して、ラーメン構造、ブレース構造及び耐震壁構造あるいはこれらを組み合わせた構造を形成することにより、そのような鉛直荷重や水平力に対する健全性を維持している（例えば、特許文献１〜３参照）。
また特に、物流倉庫には、より多くの貨物を保管するための広い空間とそれら貨物の重さに耐え得るだけの耐荷重性、そして貨物の出入荷をスムーズに実施するための構造設備等が要求される。
【０００３】
従って、従来の物流倉庫の構造としては、床や床を支える梁の耐荷重性を高くする必要があり、それに伴い、耐震構造も通常の建築物に比べて強化する必要がある。また、物流倉庫では、収納するパレットの高さとその収納段数から、必要な天井高さ（例えば６ｍ以上）を確保する必要があり、そのために梁せいを制限するか、あるいは階高を増加する必要がある。なお、建築計画上、所定の面積毎に防火区画を設ける必要があり、その区画を構成する柱間には防火シャッターや防火壁などの遮蔽手段が備えられるので、そうした遮蔽手段の設置部分においては梁せいの制限が緩和されており、図５の従来例に示すように（例えば、特許文献４参照）、防火壁の下地材や防火シャッターの受け材としての垂れ壁９が設けられる場合がある。つまり、例えば防火シャッター５が設置される場合、床から防火シャッター収納部１１までの高さ（開口高さＨ２）が所定の高さ（例えば４ｍ以上）を有していれば、高さＨ２は倉庫の梁下高さ（天井高さ）Ｈ３より低くなっても良い。またさらに、物流倉庫の一階には貨物の出入荷に便利なトラックバースなどが設置されることが多い。
【０００４】
【特許文献１】特開平５−３３５２５号公報
【特許文献２】特開平１１−２９３７６５号公報
【特許文献３】特開２００１−２２０８１６号公報
【特許文献４】実開平６−６６９５号公報
【発明の開示】
【発明が解決しようとする課題】
【０００５】
しかしながら、物流倉庫の耐震性を上げるために、上述のブレース構造や耐震壁構造を多用すると、倉庫内空間の自由度が制限されてしまい、フォークリフトなどの走行の妨げになって作業効率が悪化したり、あるいはブレースや耐震壁は、一旦設置してしまうとそれらを撤去することは難しいので、倉庫の建設途中や竣工後の使用態様変更に随時対応することもまた困難である。そこで、物流倉庫に適した建築構造として、ラーメン構造が挙げられるが、物流倉庫の一階にトラックバースを設置したり、又は倉庫内空間の自由度を高めたいという建築主の要望に応えるために、倉庫内にブレースや耐震壁を設置しないとすれば純ラーメン構造とするしかなく、この場合、耐震性を上げるために梁せいを増加すると、必要な梁下高さ（天井高さ）を確保するために階高そのものを増加しなくてはならず大幅なコスト増となる。また階高を増加する場合、倉庫全体の重心が高くなるので梁せい増加による耐震効果も減少する虞がある。
【０００６】
本発明は、上記実情に鑑みてなされたものであって、倉庫内空間の自由度が制限されず、尚且つ耐震性も高く、さらに低コストで建設することも可能な物流倉庫を提供するものである。
【課題を解決するための手段】
【０００７】
本発明の第１特徴構成は、互いに剛に連結する複数の柱及び梁で囲まれた空間を形成する物流倉庫であって、前記空間は前記柱間に設けられた遮蔽手段により形成される防火区画を含み、前記防火区画の周部を形成する柱間に、他の柱間に設ける梁よりも強度の大きい耐震梁を設けてある点にある。
【０００８】
〔作用及び効果〕
本発明の物流倉庫は、互いに剛に連結する複数の柱及び梁で囲まれた空間（ラーメン構造）を形成するので、自重や積載荷重を含む鉛直荷重や、地震や風といった水平力に対してもある程度の健全性を有する。
また、前記空間には、柱間に設けられた遮蔽手段（例えば、防火シャッターなど）により形成される防火区画が設けられているので、万が一火災が発生したとしても、火災から貨物や人命を守り、被害を最小限に食止めることも可能である。
さらに、本発明の特徴として、防火区画の周部を形成する柱間に、他の柱間に設ける梁よりも強度の大きな耐震梁を設けてあるので、ブレースや耐震壁を設置する場合のように倉庫内空間の自由度が制限されるということもなく、倉庫本体の耐震性を向上させることが可能である。また、上述したように、防火区画における遮蔽手段の設置位置の梁せい制限は緩和されており、従来例の図５に示すように、遮蔽手段の設置位置の開口高さＨ２は、所定の高さを有していれば、梁下高さ（天井高さ）Ｈ３よりも低くすることが可能である。従って、開口高さＨ２が所定の高さを満たすように、例えば、垂れ壁９の高さ（Ｈ１）を有する前記耐震梁を設け、その耐震梁を図５の垂れ壁９として兼用する構成とすれば、防火シャッターなどの遮蔽手段を設置することが可能で、尚且つ倉庫において必要とされる天井高さを確保しつつ、耐震梁により倉庫本体の耐震性を向上させることが可能となる。従って、必要とされる天井高さが確保され、倉庫の階高を増加する必要もないので、建設する際のコストダウンが図れると共に、倉庫本体の重心が高くなって耐震性が弱められることもない。
【０００９】
本発明の第２特徴構成は、前記遮蔽手段が遮蔽手段収納部に収納可能な防火シャッターであり、前記遮蔽手段収納部が前記耐震梁の側部に配置してある点にある。
【００１０】
〔作用及び効果〕
遮蔽手段が遮蔽手段収納部に収納可能な防火シャッターであるため、通常時は、遮蔽手段収納部に防火シャッターを収納しておけば、倉庫内空間の自由度が制限されることなく、フォークリフト等による作業も効率良く実施することが可能であるとともに、火事などの有事の際には、速やかに防火シャッターを降ろして被害を最小限にすることも可能である。
さらに、遮蔽手段収納部が耐震梁の側部に配置してあるので、防火区画における開口高さは、防火シャッター収納部を垂れ壁に設ける従来例（図５参照）の開口高さと同じ高さに維持することが可能であり、その結果、倉庫内空間の自由度も維持される。
【発明を実施するための最良の形態】
【００１１】
以下に本発明の実施の形態を図面に基づいて説明する。
〔実施形態〕
図１は、本発明を適用した物流倉庫１を模式的に示した断面図である。図１に示すように、本発明を適用した物流倉庫は、複数階から構成されており、特に一階部分においては貨物トラック２などが駐車するトラックバース３が設けられており、貨物の出入荷がスムーズに行われるように設計されている。なお、本発明を適用する物流倉庫は、複数階から構成されるものに限定するものでなく、一階部分のみから構成される物流倉庫であっても良い。
【００１２】
図２は、本発明を適用した物流倉庫の平面図（一部分）である。図２の点線で囲ってある区画が防火区画４であり、この点線に沿って防火シャッターなどの遮蔽手段が各柱間に設けられる。そして火災などの有事の際には、防火シャッターを下ろして、火災発生区域を隔離する。その結果、他の区域へ炎が燃え広がること（延焼）が防止され、火災による被害を最小限に抑えることが可能となる。
【００１３】
図３は、本発明の物流倉庫内の防火区画４の構造概要を示す斜視図である。本実施形態の物流倉庫の基本構造は、鉄骨にはＨ型鋼又はＩ型鋼を使用し、床スラブ６を鉄筋コンクリート造（ＲＣ造）、柱７を軸力に強い鉄骨鉄筋コンクリート造（ＳＲＣ造）、そして梁８を鉄骨造（Ｓ造）としたＳ造ラーメン構造であり、ブレースや耐震壁は設けられていない。なお柱７としては、４種類（７ａ〜ｄ）の柱が使用されており、それぞれの寸法は７ａ（1500×1500ｍｍ）、７ｂ（1500×800ｍｍ）、７ｃ（800×1500ｍｍ）、７ｄ（800×800ｍｍ）となっている。防火区画４の周部を構成する柱は、柱７ａ〜ｃで構成され、その他の区域にて使用される柱は７ｄである。つまり、防火区画４の周部を構成する柱以外の柱については、特に強度の大きい（太い）柱を使用する必要はない。
【００１４】
さらに図３に示すように、防火区画４周部の柱間には、Ｈ型鋼やＩ型鋼を使用したトラス構造の耐震梁１０が設置されている。耐震梁１０は、防火区画周部以外の柱間に設けられている梁８よりも強度が大きく、また耐震梁１０は、遮蔽手段（例えば、防火シャッターなど）の受け材としても機能し得るので、防火シャッター５を柱間に設置することが可能である。さらにこの耐震梁１０には必要に応じてパネル１２（例えば、化粧パネルや耐熱性パネルなど）を取り付けることも可能である。
【００１５】
図４は、耐震梁１０の断面図であり、耐震梁１０の側部に防火シャッター収納部１１を配置した様子を示している。本実地形態では、耐震梁１０の梁せい（Ｈ１）を従来例の図５に示される垂れ壁９の高さ（Ｈ１）と同じ高さとしてある。
従って、従来例の図５に示される梁８よりも梁せいの大きな耐震梁１０を使用するため、物流倉庫の耐震性が向上する。さらに防火シャッター収納部１１が耐震梁１０の側部に設けられているので、防火区画４における開口高さＨ２は、防火シャッター収納部１１を垂れ壁９に設ける従来の場合（図５参照）と同じ高さにすることが可能であり、その結果、倉庫内空間の自由度が従来と同様に維持される。なお本実施形態においては、防火区画の開口高さＨ２はおよそ４ｍであり、その他の梁下高さ（天井高さ）Ｈ３はおよそ６ｍとしてある。
【００１６】
〔その他の実施形態〕
１．本発明の物流倉庫における柱や梁は、実施形態に限られるものでなく、鉄骨造（Ｓ造）、鉄筋コンクリート造（ＲＣ造）、鉄骨鉄筋コンクリート造（ＳＲＣ造）、あるいはプレキャスト鉄筋コンクリート造（ＰＣａＲＣ造）であっても良いし、必要に応じてこれらを組み合わせても良い。
２．本発明の物流倉庫における耐震梁は、実施形態に示されるような所定の梁せい（Ｈ１）を有するトラス構造に限られるものでなく、その下部に所定の開口高さ（例えば４ｍ以上）を確保し、なお且つ、防火区画周部以外の柱間に設ける梁よりも強度の大きな耐震梁であれば任意の梁せい及び構造を有する耐震梁が使用可能であり、例えばＰＣａＲＣ造の耐震梁を使用する構造であっても良い。
３．本発明の物流倉庫における遮蔽手段は、防火シャッターに限定されるものでなく、防火壁（この場合、耐震梁を防火壁の下地材として利用する）を使用しても良く、あるいは必要に応じてこれらの遮蔽手段を組み合わせて使用する構成としても良い。
４．本発明の実施形態における物流倉庫は、ブレースや耐震壁は特に設けられていない構造となっているが、これに限定するものでなく、必要に応じてブレースや耐震壁を設ける構造としても良い。
【図面の簡単な説明】
【００１７】
【図１】本発明を適用した物流倉庫を模式的に示した断面図
【図２】本発明を適用した物流倉庫の一部分を模式的に示した平面図
【図３】本発明を適用した物流倉庫内の防火区画の構造概要を示した斜視図
【図４】本発明を適用した物流倉庫の耐震梁の側部に設けられた防火シャッター収納部を示した断面図
【図５】従来の防火シャッター収納部の設置様式を示した断面図
【符号の説明】
【００１８】
１  物流倉庫
２  貨物トラック
３  トラックバース
４  防火区画
５  防火シャッター
６  床スラブ
７  柱
８  梁
９  垂れ壁
１０  耐震梁
１１  防火シャッター収納部
１２  パネル
Ｈ２  開口高さ
Ｈ３  梁下高さ（天井高さ）
【図１】
2006152607.tif 000003
【図２】
2006152607.tif 000004
【図３】
2006152607.tif 000005
【図４】
2006152607.tif 000006
【図５】
2006152607.tif 000007